(57)【特許請求の範囲】
【請求項１】
演奏者によって打撃されて、打撃に関する情報を出力する電子パッドであって、
ドーム状に形成されたカップ部と、
前記カップ部の下縁部を取り囲む円環状かつ板状に形成されるとともに、その一部の外周に円弧状に湾曲した外周縁部が形成され、前記外周縁部の内側に沿って周方向の中間部にて上下面間を貫通する開口部を有するボウ部とを備えたことを特徴とする電子パッド。
【請求項２】
請求項１に記載の電子パッドにおいて、
前記カップ部の中心と、前記ボウ部の中心とがずれていることを特徴とする電子パッド。
【請求項３】
請求項２に記載の電子パッドにおいて、
前記開口部は、前記カップ部の中心から見て、前記ボウ部の中心とは反対側に設けられていることを特徴とする電子パッド。
【発明の詳細な説明】
【技術分野】
【０００１】
本発明は、アコースティックシンバルの外観を模擬した電子パッドに関する。
【背景技術】
【０００２】
従来から、例えば下記特許文献１及び特許文献２に記載されているように、電子ドラムセットを構成する電子パッドの１つとして、アコースティックシンバルに相当する電子パッドは知られている。特許文献１に記載の電子パッドは、扇形に形成され、特許文献２に記載の電子パッドは、円盤状に形成されている。
【先行技術文献】
【特許文献】
【０００３】
【特許文献１】特開平１１−３０９８３号公報
【特許文献２】特開２００７−２５６６２４号公報
【発明の概要】
【０００４】
特許文献１に記載の電子バッドの形状は、アコースティックシンバルの後部を切除したような形状であり、アコースティックシンバルの形状とは異なるので、違和感を生じることがあった。一方、特許文献２に記載の電子パッドの形状は、アコースティックシンバルの形状に似ているが、特許文献１に記載の電子パッドより大きいので、特許文献１に記載の電子パッドより重い。そのため、誤って電子パッドを落下させてしまった場合に、電子パッドに加えられる衝撃が大きく、電子パッドが破損することがあった。また、特許文献２に記載の電子パッドをポール状のスタンドに設置する際、電子パッドのどの部分を演奏者側に向けて設置すればよいのかが分かり難かった。
【０００５】
本発明は上記問題に対処するためになされたもので、その目的は、アコースティックシンバルの外観を模擬した軽量な電子パッドであって、スタンドに設置する際に、設置方向を容易に認識できる電子パッドを提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、演奏者によって打撃されて、打撃に関する情報を出力する電子パッドであって、ドーム状に形成されたカップ部（１１）と、カップ部の下縁部を取り囲む円環状かつ板状に形成されるとともに、その一部の外周に円弧状に湾曲した外周縁部（１２ａ）が形成され、前記外周縁部の内側に沿って周方向の中間部にて上下面間を貫通する開口部（Ｈ）を有するボウ部（１２）とを備えたことにある。なお、本発明において、円環状とは、真円形である場合のみならず、楕円形、長円形など、全体としてアコースティックシンバルと認識される形状である場合も含む。
【０００７】
上記のように構成した電子パッドによれば、円環状かつ板状のボウ部に開口部を設けたので、アコースティックシンバルの外観を模擬するとともに、重量を軽減することができる。これにより、誤って電子パッドを落下させてしまったとしても、電子パッドに加えられる衝撃を小さくすることができ、電子パッドを破損し難くすることができる。また、開口部を設けたので、電子パッドをスタンドに組み付けるとき、電子パッドの設置方向を容易に認識できる。
【０００８】
また、本発明の他の特徴は、カップ部の中心と、ボウ部の中心とがずれていることにある。この場合、開口部は、カップ部の中心から見て、ボウ部の中心とは反対側に設けられているとよい。これによっても、電子パッドをスタンドに組み付けるとき、電子パッドの設置方向を容易に認識できる。また、一般にカップ部の中心にスタンドが組み付けられる。本発明によれば、電子パッドの重心を、カップ部の中心よりも前方に位置させることができるので、電子パッドをスタンドに組み付けたとき、電子パッドは、前側（演奏者に近い側）が後側（演奏者から遠い側）よりも下方に位置するように傾斜する。これにより、スタンドの傾斜角度を調整しなくても、電子パッドが、演奏し易い状態に設置される。さらに、演奏中に、電子パッドがスタンドの中心軸回りに回転し難いので、演奏し易い。
【図面の簡単な説明】
【０００９】
【図１】本発明の一実施形態に係る電子パッドを斜め前方から見た斜視図である。
【図２】図１の電子パッドの平面図である。
【図３】図２のＡ−Ａ断面図である。
【図４】図１の電子パッドの底面図である。
【図５】本発明の変形例に係る電子パッドを斜め前方からみた斜視図である。
【図６】図５の電子パッドの平面図である。
【発明を実施するための形態】
【００１０】
本発明の一実施形態に係る電子パッド１０について図面を用いて説明する。電子パッド１０は、アコースティックドラムセットのうちのシンバルに相当する。シンバル以下の説明においては、電子パッド１０をポール状に形成された図示しないスタンドの上端に組み付けた状態において、演奏者側（図２における下側）を電子パッド１０の前側とし、演奏者とは反対側（図２における上側）を電子パッド１０の後側とする。また、電子パッド１０を前記スタンドに組み付けた状態において、前記スタンドの上端側（図２における、紙面の表面側）を電子パッド１０の上側とし、前記スタンドの下端側（図２における、紙面の裏面側）を電子パッド１０の下側とする。また、電子パッド１０を前記スタンドに組み付けた状態において、演奏者から見て右側（図２における右側）を電子パッド１０の右側とし、演奏者から見て左側（図２における左側）を電子パッド１０の左側とする。
【００１１】
この電子パッド１０は、図１及び図２に示すように、円盤状に形成されている。電子パッド１０は、カップ部１１とボウ部１２とからなる。カップ部１１及びボウ部１２は、合成樹脂により一体的に形成されている。カップ部１１は下方に開放された円形のドーム状に形成されている。カップ部１１の上部１１ａは、円形の平板状に形成されている。上部１１ａの中心部には、上下に貫通する取り付け孔１１ａ１が設けられている。取り付け孔１１ａ１には、電子パッド１０を支持する図示しないポール状のスタンドの上端部が挿入される。すなわち、前記スタンドの上端部が、カップ部１１の下側から、取り付け孔１１ａ１に挿入され、電子パッド１０が前記スタンドの上端部に支持される。
【００１２】
ボウ部１２は、カップ部１１の下縁部から外側へ向かって延設された板状であって、かつカップ部１１の下縁部の外周を取り囲む環状に形成されている。ボウ部１２の中心は、カップ部１１の中心よりも前側に位置している。そして、図３に示すように、電子パッド１０を左右に２等分した断面において、ボウ部１２は緩やかに湾曲している。すなわち、ボウ部１２の周縁部は、ボウ部１２の中心部よりもやや下方に位置している。また、ボウ部１２の後部には、その上下面間を貫通する開口部Ｈが設けられている。開口部Ｈは、その前側がカップ部１１の後部側の下縁部に沿っていて、かつその後側がボウ部１２の後部の外周端に沿った幅広の円弧状に形成されている。すなわち、開口部Ｈは、ボウ部１２の周方向に沿って延設されていて、開口部Ｈの外周側の辺が、ボウ部１２の外縁と平行であり、開口部Ｈの内周側の辺がカップ部１１の後部側下端部の外縁と平行である。そして、開口部Ｈにおける、カップ部１１に沿った辺の両端と、ボウ部１２の外周端に沿った辺の両端の前後方向の位置は共通であり、取り付け孔１１ａ１のやや後方にて左右方向に延びる同一直線上に位置している。ボウ部１２の後部には、上記のような開口部Ｈが形成されているので、ボウ部１２の後縁には、円弧状に湾曲した細い外周縁部１２ａが形成されている。
【００１３】
ボウ部１２の上面であって、開口部Ｈよりも前方の部分が、スティック、ブラシなどで打撃される打撃部１２ｂである。打撃部１２ｂは、合成ゴム製のカバー１２ｂ１によって覆われている。図４に示すように、カバー１２ｂ１は、ボウ部１２の外周縁の下側まで回り込んでいて、この回り込んだ部分が、ネジＳにより、ボウ部１２の下側に固定されている。カバー１２ｂ１を設けることにより、打撃部１２ｂを打撃したときの静粛性を向上させるとともに、アコースティックシンバルを打撃したときの打感を模擬している。打撃部１２ｂの下面には、打撃部１２ｂへの打撃の強度を表わす信号を出力するピエゾセンサ１２ｂ２が貼り付けられている。ピエゾセンサ１２ｂ２は、ボウ部１２の下面に組み付けられたケース１２ｂ３によって覆われている。ケース１２ｂ３には、ピエゾセンサ１２ｂ２に接続される図示しない増幅回路が組み付けられている。この増幅回路は、ピエゾセンサ１２ｂ２から出力された信号を増幅（又は減衰）させる。そして、この増幅回路によって増幅（又は減衰）されたピエゾセンサ１２ｂ２の出力信号は、図示しない音源回路に供給される。音源回路は、供給された出力信号に応じた打奏音を生成する。
【００１４】
上記のように、電子パッド１０は、円盤状に形成されているので、アコースティックシンバルの外観を模擬できる。そして、開口部Ｈを設けたので、重量を軽減できる。これにより、誤って電子パッド１０を落下させてしまったとしても、電子パッド１０に加えられる衝撃を小さくすることができるので、電子パッド１０は破損し難い。また、ボウ部１２の中心をカップ部１１の中心よりも前側に設け、かつカップ部１１の後方に開口部Ｈを設けたので、電子パッド１０をスタンドに組み付けるとき、電子パッド１０の設置方向を容易に認識できる。また、ボウ部１２の中心をカップ部１１の中心よりも前側に設け、かつカップ部１１の後方に開口部Ｈを設けたこと、及びボウ部１２のうちカップ部１１の中心よりも前側に位置する打撃部１２ｂの下面にピエゾセンサ１２ｂ２、増幅回路及びケース１２ｂ３を設けたことにより、電子パッド１０の重心を、取り付け孔１１ａ１よりも前方に位置させることができる。これにより、電子パッド１０をスタンドに組み付けたとき、電子パッド１０は、前側が後側よりも下方に位置するように傾斜する。したがって、スタンドの傾斜角度を調整しなくても、電子パッド１０が、演奏し易い状態に設置される。さらに、電子パッド１０の重心の位置が上記のような位置に設定されているため、演奏中に、電子パッド１０がスタンドの中心軸回りに回転し難い。したがって、演奏者は電子パッド１０を演奏し易い。また、電子パッド１０を持ち運ぶ際に、外周縁部１２ａを把手として用いることもできる。また、電子パッド１０を収納しておく際、フックなどに外周縁部１２ａを引っ掛けておくこともできる。
【００１５】
さらに、本発明の実施にあたっては、上記実施形態に限定されるものではなく、本発明の目的を逸脱しない限りにおいて種々の変更が可能である。
【００１６】
例えば、図５及び図６に示すように、上記実施形態における開口部Ｈの中間部において、ボウ部１２の半径方向に延設され、カップ部１１の後部側の下縁部とボウ部１２の外周縁部１２ａとを連結する桟１２ａ１を設けてもよい。上記のように構成した電子パッド１０Ａによれば、外周縁部１２ａの強度を向上させることができる。
【００１７】
また、カップ部１１及びボウ部１２の外形は、上記実施形態に限られず、例えば、楕円形、長円形など、全体としてアコースティックシンバルと認識される形状であればよい。
【００１８】
また、カップ部１１にその上下面間を貫通する貫通孔を設けるとともに、スタンドの上端部に、外側へ突出し、かつ上方向に延びる突起を設けておき、前記突起を前記貫通孔に挿入してもよい。これによれば、演奏時において電子パッド１０がスタンドの中心軸回りに回転することを防止することができる。
【符号の説明】
【００１９】
１０，１０Ａ・・・電子パッド、１１・・・カップ部、１１ａ・・・上部、１１ａ１・・・孔、１２・・・ボウ部、１２ａ・・・外周縁部、１２ａ１・・・桟、１２ｂ・・・打撃部、１２ｂ１・・・カバー、１２ｂ２・・・ピエゾセンサ、１２ｂ３・・・ケース、Ｈ・・・開口部、Ｓ・・・ネジ
【図１】
0006007569.tif 000002
【図２】
0006007569.tif 000003
【図３】
0006007569.tif 000004
【図４】
0006007569.tif 000005
【図５】
0006007569.tif 000006
【図６】
0006007569.tif 000007